【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
移動体の移動を補助するナビゲーション装置において、
前記移動の補助を行っている期間中、連続して当該補助の内容に対応した音を前記移動体に出力する出力手段を備えることを特徴とするナビゲーション装置。
【請求項２】
請求項１に記載のナビゲーション装置において、
異なる複数種類の前記音を記録する記録手段と、
前記記録されている音の中から、出力させるべき前記音を選択する選択手段と、
を更に備えることを特徴とするナビゲーション装置。
【請求項３】
請求項１又は２に記載のナビゲーション装置において、
前記音を出力する条件を設定する条件設定手段を更に備え、
前記出力手段は前記設定された条件に一致する期間中に前記音を出力することを特徴とするナビゲーション装置。
【請求項４】
請求項１から３のいずれか一項に記載のナビゲーション装置において、前記移動体の現在位置を検出する位置検出手段を更に備え、
前記出力手段は、前記検出された現在位置に対応して前記音を変化させて出力することを特徴とするナビゲーション装置。
【請求項５】
請求項４に記載のナビゲーション装置において、
前記検出された現在位置が含まれる道路の種類を検出する種類検出手段を更に備え、
前記出力手段は、前記検出された種類に対応した前記音を前記移動体に出力することを特徴とするナビゲーション装置。
【請求項６】
請求項４又は５に記載のナビゲーション装置において、
前記検出された現在位置が含まれる道路の状況を検出する状況検出手段を更に備え、
前記出力手段は、前記検出された状況に対応した前記音を前記移動体に出力することを特徴とするナビゲーション装置。
【請求項７】
請求項４から６のいずれか一項に記載のナビゲーション装置において、前記検出された現在位置が含まれる地域を検出する地域検出手段を更に備え、
前記出力手段は、前記検出された地域に対応した前記音を前記移動体に出力することを特徴とするナビゲーション装置。
【請求項８】
請求項４から７のいずれか一項に記載のナビゲーション装置において、前記検出された現在位置が交差点内であるか否かを検出する交差点検出手段を更に備え、前記出力手段は、前記検出された現在位置が前記交差点内であるとき、注意喚起を意味する前記音を前記移動体に出力することを特徴とするナビゲーション装置。
【請求項９】
請求項１から８のいずれか一項に記載のナビゲーション装置において、前記移動体の速度を検出する速度検出手段を更に備え、
前記出力手段は、前記検出された移動速度に対応した前記音を当該移動体に出力することを特徴とするナビゲーション装置。
【請求項１０】
請求項１から８のいずれか一項に記載のナビゲーション装置において、
前記移動体の高度を検出する高度検出手段を更に備え、
前記出力手段は、前記検出された高度に対応した前記音を当該移動体に出力することを特徴とするナビゲーション装置。
【請求項１１】
請求項１から８のいずれか一項に記載のナビゲーション装置において、
前記移動体の進行方位を検出する方位検出手段を更に備え、
前記出力手段は、前記検出された進行方位に対応した前記音を当該移動体に出力することを特徴とするナビゲーション装置。
【請求項１２】
移動体の移動を補助するナビゲーション装置において、
予め設定されている移動予定経路上を前記移動体が移動している間、当該移動体に連続して音を出力することを特徴とするナビゲーション装置。
【請求項１３】
請求項１２に記載のナビゲーション装置において、
前記移動体が前記移動予定経路から外れて移動しているとき、前記音の出力を中止することを特徴とするナビゲーション装置。
【手続補正２】
【補正対象書類名】明細書
【補正対象項目名】０００１
【補正方法】変更
【補正の内容】
【０００１】
【発明の属する技術分野】
本発明は、ナビゲーション装置の技術分野に属し、より詳細には、移動体に音を出力しつつ当該移動体の移動を補助するナビゲーション装置の技術分野に属する。
【手続補正３】
【補正対象書類名】明細書
【補正対象項目名】０００８
【補正方法】変更
【補正の内容】
【０００８】
【課題を解決するための手段】
上記の課題を解決するために、請求項１に記載の発明は、移動体の移動を補助するナビゲーション装置において、前記移動の補助を行っている期間中、連続して当該補助の内容に対応した音を前記移動体に出力するＣＰＵ等の出力手段を備える。
【手続補正４】
【補正対象書類名】明細書
【補正対象項目名】０００９
【補正方法】変更
【補正の内容】
【０００９】
よって、移動の補助が行われている期間中連続して当該補助の内容に対応する音が出力されるので、移動体の使用者に対する注意喚起が確実にできると共に、当該使用者が聴覚のみにより当該補助の内容を把握することができる。
【手続補正５】
【補正対象書類名】明細書
【補正対象項目名】００１６
【補正方法】変更
【補正の内容】
【００１６】
上記の課題を解決するために、請求項５に記載の発明は、請求項４に記載のナビゲーション装置において、前記検出された現在位置が含まれる道路の種類を検出するシステムコントローラ等の種類検出手段を更に備え、前記出力手段は、前記検出された種類に対応した前記音を前記移動体に出力するように構成される。
【手続補正６】
【補正対象書類名】明細書
【補正対象項目名】００１８
【補正方法】変更
【補正の内容】
【００１８】
上記の課題を解決するために、請求項６に記載の発明は、請求項４又は５に記載のナビゲーション装置において、前記検出された現在位置が含まれる道路の状況を検出するシステムコントローラ等の状況検出手段を更に備え、前記出力手段は、前記検出された状況に対応した前記音を前記移動体に出力するように構成される。
【手続補正７】
【補正対象書類名】明細書
【補正対象項目名】００２０
【補正方法】変更
【補正の内容】
【００２０】
上記の課題を解決するために、請求項７に記載の発明は、請求項４から６のいずれか一項に記載のナビゲーション装置において、前記検出された現在位置が含まれる地域を検出するシステムコントローラ等の地域検出手段を更に備え、前記出力手段は、前記検出された地域に対応した前記音を前記移動体に出力するように構成される。
【手続補正８】
【補正対象書類名】明細書
【補正対象項目名】００２２
【補正方法】変更
【補正の内容】
【００２２】
上記の課題を解決するために、請求項８に記載の発明は、請求項４から７のいずれか一項に記載のナビゲーション装置において、前記検出された現在位置が交差点内であるか否かを検出するシステムコントローラ等の交差点検出手段を更に備え、前記出力手段は、前記検出された現在位置が前記交差点内であるとき、注意喚起を意味する前記音を前記移動体に出力するように構成される。
【手続補正９】
【補正対象書類名】明細書
【補正対象項目名】００２４
【補正方法】変更
【補正の内容】
【００２４】
上記の課題を解決するために、請求項９に記載の発明は、請求項１から８のいずれか一項に記載のナビゲーション装置において、前記移動体の速度を検出するシステムコントローラ等の速度検出手段を更に備え、前記出力手段は、前記検出された移動速度に対応した前記音を当該移動体に出力するように構成される。
【手続補正１０】
【補正対象書類名】明細書
【補正対象項目名】００２６
【補正方法】変更
【補正の内容】
【００２６】
上記の課題を解決するために、請求項１０に記載の発明は、請求項１から８のいずれか一項に記載のナビゲーション装置において、前記移動体の高度を検出するシステムコントローラ等の高度検出手段を更に備え、前記出力手段は、前記検出された高度に対応した前記音を当該移動体に出力するように構成される。
【手続補正１１】
【補正対象書類名】明細書
【補正対象項目名】００２８
【補正方法】変更
【補正の内容】
【００２８】
上記の課題を解決するために、請求項１１に記載の発明は、請求項１から８のいずれか一項に記載のナビゲーション装置において、前記移動体の進行方位を検出するシステムコントローラ等の方位検出手段を更に備え、前記出力手段は、前記検出された進行方位に対応した前記音を当該移動体に出力するように構成される。
【手続補正１２】
【補正対象書類名】明細書
【補正対象項目名】００３０
【補正方法】変更
【補正の内容】
【００３０】
上記の課題を解決するために、請求項１２に記載の発明は、移動体の移動を補助するナビゲーション装置において、予め設定されている移動予定経路上を前記移動体が移動している間、当該移動体に連続して音を出力するように構成される。
【手続補正１３】
【補正対象書類名】明細書
【補正対象項目名】０１１６
【補正方法】変更
【補正の内容】
【０１１６】
【発明の効果】
以上説明したように、請求項１に記載の発明によれば、移動の補助が行われている期間中連続して当該補助の内容に対応する音が移動体に出力されるので、移動体の使用者に対する注意喚起が確実にできると共に、当該使用者が聴覚のみにより当該補助の内容を把握することができる。